(57)【要約】【課題】作業用上衣として、着用者の首筋付近の通気性が良好であり、夏期使用の作業服だけでなく、スポーツウェアやカジュアルウェアなども包含している。【解決手段】  前身頃およびヨーク布の上方に縫着した帯環状の衿部を有する作業用上衣において、使用時に着用者の首筋と近接する衿部の下方中央部を２重メッシュ布で構成するとともに、衿部を折り返した際に、該衿部の折り返し部分において２重メッシュ布と重合する部分の全部または一部をメッシュ地で構成する。【選択図】図３
0003117762.tif 000002
【実用新案登録請求の範囲】
【請求項１】
前身頃およびヨーク布の上方に縫着した帯環状の衿部または衿部と台衿部を有する作業用上衣であって、使用時に着用者の首筋と近接する衿部の下方中央部または台衿部を２重メッシュ布で構成し、衿部を折り返して着用した際に、２重メッシュ布が着用者の首筋から体熱を放散する作業用上衣。
【請求項２】
前身頃およびヨーク布の上方に縫着した帯環状の衿部または衿部と台衿部を有する作業用上衣であって、使用時に着用者の首筋と近接する衿部の下方中央部または台衿部の中央部を２重メッシュ布で構成するとともに、衿部を折り返した際に、該衿部において２重メッシュ布と重合する部分の全部または一部をメッシュ地で構成する作業用上衣。
【請求項３】
衿部の下方中央部または台衿部の中央部に用いる２重メッシュ布は吸汗速乾性の繊維素材からなり、衿部の表布または台衿部の中央部において２重メッシュ布の長さは衿部全長の１／３〜２／３である請求項１または２記載の作業用上衣。
【請求項４】
衿部の上方中央部に縫着するメッシュ地は伸縮性を有し、該メッシュ地は横長の矩形状であって衿部の下方中央部または台衿部の２重メッシュ布の平面形状よりも小さくする請求項２記載の作業用上衣。
【考案の詳細な説明】
【技術分野】
【０００１】
本考案は、着用者の首筋付近の通気性が良好な作業用上衣に関し、夏期使用の作業服だけでなく、スポーツウェアやカジュアルウェアなども包含する作業用上衣に関する。
【背景技術】
【０００２】
作業用上衣は、主に作業服として、現業作業が容易なように機能性、耐久性や汎用性を考慮した衣服であり、ブルゾンと同様にカジュアルウェアとして着用されることも多い。作業用上衣やスポーツウェアに関して、着用者の首衿部における熱気の放散を促進するために、衿部の一部をメッシュ布にすることが提案されている。
【０００３】
例えば、登録実用新案第３０４７１４５号は、前身頃の首衿付近で前衿と重なる範囲をメッシュ布で構成するとともに、左右の前衿部分もメッシュ布で縫製している。また、登録実用新案第３０９５５４８号は、立ち衿部を備えたスポーツウェアにおいて、該立ち衿部の首前側を覆う部分をメッシュ布で形成して通気性を付与している。このスポーツウェアは、立ち衿部を有する特殊な形状であるので汎用性が比較的低く、機能的には登録実用新案第３０４７１４５号の考案とほぼ同一である。
【特許文献１】登録実用新案第３０４７１４５号公報
【特許文献２】登録実用新案第３０９５５４８号公報
【考案の開示】
【考案が解決しようとする課題】
【０００４】
登録実用新案第３０４７１４５号に開示の上衣は、部分メッシュ布によって、確かに着用者の前衿部分の熱気の放散を促進できるが、通常の上衣の前衿部は上ボタンを外せば広く開放できるため、この部分をメッシュ布にすることの意味は殆どない。この反面、実際に現業作業を行うことで多量に発汗する着用者の首筋は、前記の部分メッシュ布によって熱放散されることはない。また、登録実用新案第３０４７１４５号に開示の上衣において、左右の前衿部分をメッシュ布にすると、上衣の他の部分に比べて生地の腰が弱く、洗濯によって形崩れしやすくなってしまう。
【０００５】
本考案は、従来の作業用上衣に関する前記の問題点を改善するために提案されたものであり、衿部の形崩れが少なくしかも着用者の首筋付近の通気性が良好な作業用上衣を提供することを目的としている。本考案の他の目的は、発汗した着用者の首筋から汗を効果的に吸収・放散する作業用上衣を提供することである。
【課題を解決するための手段】
【０００６】
本考案に係る作業用上衣は、前身頃およびヨーク布の上方に縫着した帯環状の衿部または衿部と台衿部を有する。本考案の作業用上衣は、使用時に着用者の首筋と近接する衿部の下方中央部または台衿部を２重メッシュ布で構成する。この作業用上衣では、衿部を折り返して着用した際に、２重メッシュ布が着用者の首筋から体熱を放散する。
【０００７】
本考案の作業用上衣は、使用時に着用者の首筋と近接する衿部の下方中央部または台衿部の中央部を２重メッシュ布で構成するとともに、衿部を折り返した際に、該衿部において２重メッシュ布と重合する部分の全部または一部をメッシュ地で構成してもよい。
【０００８】
本考案の作業用上衣において、衿部の下方中央部または台衿部の中央部に用いる２重メッシュ布は吸汗速乾性の繊維素材からなり、衿部の表布または台衿部の中央部において２重メッシュ布の長さは衿部全長の１／３〜２／３であると好ましい。また、衿部の上方中央部に縫着するメッシュ地は伸縮性を有し、該メッシュ地は横長の矩形状であって衿部の下方中央部または台衿部の２重メッシュ布の平面形状よりも小さくすると好ましい。
【０００９】
本考案を図面によって説明すると、本考案に係る作業用上衣は、図１に例示するようなブルゾンタイプの作業服１であっても、図６のようなワークシャツやスポーツシャツに適用してもよい。本考案の作業用上衣は、いわゆる作業服に分類されないカジュアルウェアやスポーツウェアなどに適用することも可能である。図１や図６に示すような作業用上衣では、通常、左右の前身頃２，２に胸ポケット１１，１１を取り付け、このポケットはフラップ付きのパッチポケットが一般的である。この作業用上衣には、さらにスラッシュポケットや肩ポケットを形成してもよい。
【００１０】
本考案の作業用上衣は、図３と図４のように台衿部が無く、衿部１４を前身頃２、２およびヨーク布１０に直接縫着しても、図７のように横長の台衿部３４を介して衿部３８を縫着してもよい。衿部１４，３８の形状は、スタンダード、ロングポイント、ショートポイント、ワイドなどのいずれでもよい。図１に示すように、衿部１４の下方中央部を２重メッシュ布１８で構成し、衿部３８および台衿部３４（図７）を有する場合には、２重メッシュ布４０を台衿部３４に形成する。２重メッシュ布１８，４０は、布１枚で実質的に２枚重ねに近い厚みを有するならば１層構成でもよい。
【００１１】
２重メッシュ布１８，４０は、透孔編またはレース編で形成しても、結節によって互いに連結したネットであってもよく、さらにバルキーヤーンなどを用いて嵩高に加工することも可能である。メッシュ布１８が表裏で異なる場合に、図３と図４のように、表側のメッシュ布１８ａは裏側のメッシュ布１８ｂよりも横長に定め、着用者２０（図５）との接触面積をより大きく、衿部全長の２／３以上にすることも可能である。一方、図７に示すように、メッシュ布４０が表裏同じ大きさであれば衿部全長の１／２以下に定め、衿部１４や台衿部３４がへたりやすくなることを回避する。メッシュ布１８，４０は２重であるから洗濯耐性が増し、衿部１４や台衿部３４がいっそう形崩れしにくくなる。
【００１２】
２重メッシュ布１８，４０は、好ましくは吸汗速乾性の繊維素材からなる。２重メッシュ布１８，４０には、例えば、吸汗性・速乾性に優れたテクノファイン繊維（旭化成製）、通気性も有するニットアゼック（商品名）やコンフニット（商品名）などを使用すると好ましい。２重メッシュ布１８，４０は２枚構成であるから、該メッシュ布の厚みが増して感触性が良化している。
【００１３】
一方、衿部１４の上方中央部は、例えば横長の矩形状に切り欠き、この切り欠き部にメッシュ地２２を縫い付けると好ましい。矩形状平面のメッシュ地２２は、衿部を折り返した際に、該衿部または台衿部３４の２重メッシュ布１８，４０と対応し、該メッシュ布の全部またはその一部と連通する。メッシュ地２２は、通常１層であればよく、例えば、ウレタン系繊維などの伸縮性の繊維素材を用い、結節によって互いに連結したネット素材である。メッシュ地２２がある程度の伸縮性を有していると、衿部１４に皺が発生しにくくなるので好ましい。
【考案の効果】
【００１４】
本考案に係る作業用上衣は、衿部の下方中央部または台衿部の中央部が２重メッシュ布であるから、着用者の首筋付近において通気性が良好である。このため、汗をかきやすい首筋から体熱が外部へ熱放散されやすく、且つ涼しい外気を取り入れることで暑さによる不快さを緩和できる。特に、衿部の下方中央部または台衿部の中央部が２重メッシュ布であると、該メッシュ布の厚みが増して感触性が良くなり且つ通気性も良好である。
【００１５】
本考案に係る作業用上衣では、衿部が折り返されると、衿部上方のメッシュ地は衿部下方または台衿部の２重メッシュ布の全部または一部と重合する。このため、着用者の首筋付近では、２重メッシュ布およびメッシュ地を経て体熱がいっそう外部へ熱放散されやすくなるとともに、涼しい外気を速やかに取り入れることで夏期においても着心地が快適になる。衿部裏側の裏メッシュ布または台衿部の２重メッシュ布は、衿部の長さと比べて半分以下であるので、作業用上衣の洗濯を繰り返しても衿部が形崩れすることは少ない。
【００１６】
本考案の作業用上衣において、衿部下方および台衿部のメッシュ布は、通常の布と同等以上の触感を持っているうえに吸汗速乾性を有する。現業作業を行うことで着用者の首筋が多量に発汗しても、その首筋と接触するメッシュ布は吸汗速乾性であるから、該メッシュ布に付着した汗は急速に外部へ放出されて直ちに乾燥し、着用者の肌がベタつかないので快適である。
【考案を実施するための最良の形態】
【００１７】
次に、本考案を図面に基づいて説明すると、図１に示す本考案の作業服１は、前身頃２，２と後身頃３（図２）および２本の長袖部５からなり、全体を縫製して前開き部にチャック７を縫着し、ゴムで締め付ける裾部８を有するブルゾンタイプである。図２に示すように、後身頃３の上辺には横長のヨーク布１０を縫着し、該ヨーク布の上辺と前身頃２の後斜辺とを縫着して肩シームを形成する。さらに、作業服１には、フラップ付きのパッチポケット１１，１１およびスラッシュポケット１２，１２を取り付ける。
【００１８】
作業服１では、前身頃２、２の前斜辺およびヨーク布１０の上辺に横長の衿部１４を縫着し、該衿部は着用時において帯環状になる。図３と図４から明らかなように、衿部１４は表裏布１４ａ，１４ｂを縫い合わせて形成する。図３を参照すると、衿部１４の表側において、表布１４ａの下方中央部１６を弓形状に切り欠き、この切り欠き部に２重メッシュ布１８の表メッシュ布１８ａを縫い付ける。表メッシュ布１８ａの長さは、表布１４ａにおいて衿部１４の全長の約２／３である。穂先形平面の表メッシュ布１８ａは、使用時において、その全体が着用者２０（図５）の首筋と接触または近接することになる。また、表メッシュ布１８ａは、肌触りを良くするために透孔編またはレース編で編成すると好ましい。
【００１９】
２重メッシュ布１８は、吸汗速乾性の繊維素材からなり、該繊維素材は肌にフィットするうえに吸収した湿った汗を肌面に戻さず、メッシュ布１８のベタつきを抑えて作業服１内をドライに保つ。例えば、２重メッシュ布１８には、吸汗性・速乾性に優れたテクノファイン繊維（旭化成製）などを使用する。
【００２０】
一方、衿部１４の裏側では、裏布１４ｂの下方中央部を表布１４ａと同様に弓形状に切り欠き、この切り欠き部に縫い付けた穂先形布片１９の中央部を裏メッシュ布１８ｂで構成する（図４参照）。裏メッシュ布１８ｂは、横長のほぼ長方形平面であり、裏布１４ｂの切り欠き下辺、ヨーク布１０の上辺および穂先形布片１９の左右部分にそれぞれ縫い付ける。裏メッシュ布１８ｂの長さは、衿部１４の全長の約１／５である。長方形平面の裏メッシュ布１８ｂは、その高さに関して、表メッシュ布１８ａより若干低い。裏メッシュ布１８ｂを、表メッシュ布１８ａと同等の横長にすると、衿部１４がへたりやすくなるので好ましくない。
【００２１】
図２に示すように、衿部１４の上方部つまり折り返し部分２１は、横長の矩形状または台形状に切り欠き、この切り欠き部にメッシュ地２２を縫い付ける。台形状平面のメッシュ地２２は、裏メッシュ布１８ｂの横幅とほぼ同じ横幅であるが、裏メッシュ布１８ｂの高さのほぼ半分の高さである。メッシュ地２２は、１層であってウレタン系繊維のような伸縮性の繊維素材からなると好ましい。
【００２２】
図５から明らかなように、作業服１の着用時に衿部１４は折り返され、メッシュ地２２は２重メッシュ布１８の一部と重合する。このため、図５の矢印で示すように、着用者２０の首筋付近では、メッシュ布１８およびメッシュ２２を経て体熱が外部へ熱放散されるとともに、涼しい外気を取り入れることで夏期の不快さを緩和する。また、現業作業を行うことで着用者２０の首筋が多量に発汗しても、その首筋と接触する２重メッシュ布１８は吸汗速乾性の繊維素材であるから、該メッシュ布に付着した汗は急速に外部へ放出されて乾燥し、着用者２０の肌がベタつかないので快適である。
【００２３】
図６と図７に示す変形例では、作業服２４は、前開き部をスナップ２６またはボタンで留めるスポーツシャツタイプであり、フラップ付きのパッチポケット２８，２８を両胸に縫い付ける。作業服２４は、後身頃（図示しない）の上辺に横長で２枚合わせのヨーク布３２を縫着する。横長の台衿部３４は、前身頃３６，３６の前斜辺およびヨーク布３２の上辺に縫着し、該台衿部の上辺に沿って横長の衿部３８を縫い付けることにより、該衿部および台衿部３４は着用時において帯環状になる。
【００２４】
台衿部３４および衿部３８は、表裏布の２枚合わせである。台衿部３４は、その中央部を２重メッシュ布４０で形成し、該メッシュ布は横長のほぼ長方形平面であり、衿部３８の下辺、ヨーク布３２の上辺および台衿部３４の左右片にそれぞれ縫い付ける。２重メッシュ布４０の長さは、台衿部３４の中央部において衿部３８の全長の約１／３強である。２重メッシュ布４０を長くしすぎると、衿部３８および台衿部３４がへたりやすくなるので好ましくない。２重メッシュ布４０は、使用時において、その全体が着用者の首筋と接触または近接することになる。
【００２５】
図７に示すように、衿部３８の上方部は横長の矩形状または台形状に切り欠かれ、この切り欠き部にメッシュ地４２（図７）を縫い付ける。台形状平面のメッシュ地４２は、２重メッシュ布４０の横幅よりもかなり短く、該メッシュ布の高さのほぼ半分の高さである。メッシュ地４２は、１層であってウレタン系繊維のような伸縮性の繊維素材からなると好ましい。
【００２６】
作業服２４の着用時に衿部３８は折り返され、メッシュ地４２は２重メッシュ布４０の一部と重合する。このため、着用者の首筋付近では、メッシュ布４０およびメッシュ地４２を経て体熱が外部へ熱放散されるとともに、涼しい外気を取り入れることで不快さを緩和する。また、現業作業を行うことで着用者の首筋が多量に発汗しても、その首筋と接触する２重メッシュ布４０は吸汗速乾性のメッシュ地であるから、該メッシュ布に付着した汗は急速に外部へ放出されて乾燥する。
【図面の簡単な説明】
【００２７】
【図１】本考案に係る作業用上衣である作業服を例示する概略正面図である。
【図２】図１の作業服の背後を示す要部背面図である。
【図３】図１の作業服を開いてその衿部の表側を示す要部平面図である。
【図４】図１の作業服を開いてその衿部の裏側を示す要部平面図である。
【図５】着用時における作業服の台衿部および衿部を示す要部縦断面図である。
【図６】作業服の変形例を示す正面図である。
【図７】図６の作業服を開いてその衿部および台衿部を示す要部平面図である。
【符号の説明】
【００２８】
１    作業服
１０    ヨーク布
１４    衿部
１４ａ    衿部の表布
１４ｂ    衿部の裏布
１６    表布の下方中央部
１８    ２重メッシュ布
２０    着用者
２１    衿部の折り返し部分
２２    メッシュ地
【図１】
0003117762.tif 000003
【図２】
0003117762.tif 000004
【図３】
0003117762.tif 000005
【図４】
0003117762.tif 000006
【図５】
0003117762.tif 000007
【図６】
0003117762.tif 000008
【図７】
0003117762.tif 000009